(57)【要約】  【課題】  ボビンに対する長尺物巻き取り方向に関係なく簡単な構造でありながら円盤状鍔部沿いに偏って巻かれた長尺物を中芯中央側に集める。  【解決手段】  円盤状鍔部２の対向する内面２ａに、その中芯側から外周側へ向けて徐々に中芯中央側へ突出する逆テーパー部３を夫々設け、長尺物Ｃを巻き取りことにより、その一部が円盤状鍔部２の内面２ａに沿って積み重なった時には、この長尺物積重ね部Ｃ１が上記逆テーパー部３の鋭角な傾斜角度と張力で自動的に中芯側へ移動して崩れ、長尺物Ｃが円盤状鍔部２の内面２ａ近くに偏らない。  【選択図】      図１
2006347660.tif 000002
【特許請求の範囲】
【請求項１】
長尺物（Ｃ）を巻き取る中芯（１）と、その両側に突設された一対の円盤状鍔部（２）とからなる長尺物巻取機用ボビンにおいて、
前記円盤状鍔部（２）の対向する内面（２ａ）に、その中芯側から外周側へ向けて徐々に中芯中央側へ突出する逆テーパー部（３）を夫々設け、長尺物（Ｃ）の巻き取りに伴い該円盤状鍔部（２）の内面（２ａ）に沿って積み重なった長尺物積重ね部（Ｃ１）を中芯（１）側へ移動させることを特徴とする長尺物巻取機用ボビン。
【請求項２】
前記円盤状鍔部（２）の内面（２ａ）の一部に逆テーパー部（３）を一体形成した請求項１記載の長尺物巻取機用ボビン。
【請求項３】
請求項１または２記載の長尺物巻取機用ボビンをフレーム（４）に対して回転自在に備えた長尺物巻取機において、
前記フレーム（４）に、円盤状鍔部（２）と対向してその逆テーパー部（３）の中芯中央側へ最も突出する端部（３ｂ）を覆う長尺物誘導部（４ａ）を設けて、巻取り中の長尺物（Ｃ）が円盤状鍔部（２）の外周面（２ｂ）に当接しないような配置としたことを特徴とした長尺物巻取機。
【発明の詳細な説明】
【技術分野】
【０００１】
本発明は、例えばホースや線材などの可撓性を有する長尺物を一箇所に集中しないように振り分けて整列状に巻き付けるためのトラバース機能が備えられた長尺物巻取機用ボビン及びそれを備えた長尺物巻取機に関する。
詳しくは、引き出された長尺物を不特定方向から巻き取る中芯と、その両側に突設された一対の円盤状鍔部とからなる長尺物巻取機用ボビン、及び、それをフレームに対して回転自在に備えた長尺物巻取機に関する。
【背景技術】
【０００２】
従来、この種の長尺物巻取機用ボビン及び長尺物巻取機として、フレーム（ドラム支持本体）にボビン（ドラム体）の外周面と対向する位置に円形の棒状体を配設し、この棒状体にはトラバース機構として長尺物誘導部（長尺体誘導部）が移動自在に設けられると共に、これら棒状体の周面と長尺物誘導部とを係合して、前記ボビンの回動又は長尺物の引動に伴い棒状体と長尺物誘導部とを相対回動させることにより、長尺物誘導部が棒状体の長さ方向に繰り返し往復移動して、長尺物（長尺体）がボビンに対し均一に巻回されるようにしたものがある（例えば、特許文献１参照）。
【０００３】
【特許文献１】特開２００３−３２１１６５号公報（第１−３頁、図１−４）
【発明の開示】
【発明が解決しようとする課題】
【０００４】
しかし乍ら、このような従来の長尺物巻取機用ボビン及び長尺物巻取機では、ボビンとフレーム以外にトラバース機構を、ボビンへ向かう長尺物移動経路上に配備する必要があるため、構造が複雑化して故障が発生し易いと共に製造コストが高くなるという問題があった。
更に、長尺物巻き取り時は長尺物が整列できて便利であるものの、長尺物引き出し時には、長尺物移動経路上に配備したトラバース機構が邪魔になって引き出し難いだけでなく、トラバース機構と長尺物と接触するため、長尺物の引き出し抵抗が高くなってスムーズに引き出せず、操作性に劣ると共に使用勝手が悪いという問題もあった。
【０００５】
本発明のうち請求項１記載の発明は、ボビンに対する長尺物巻き取り方向に関係なく簡単な構造でありながら円盤状鍔部沿いに偏って巻かれた長尺物を中芯中央側に集めることを目的としたものである。
請求項２記載の発明は、請求項１に記載の発明の目的に加えて、ボビン全体を簡単に型成形すると共にボビンの組み立てを容易にすることを目的としたものである。
請求項３記載の発明は、請求項１または２に記載の発明の目的に加えて、両円盤状鍔部の間に長尺物を確実に誘導して該長尺物がボビンとフレームとの隙間に噛み込んで回転不能となる事故を防止することを目的としたものである。
【課題を解決するための手段】
【０００６】
前述した目的を達成するために、本発明のうち請求項１記載の発明は、円盤状鍔部の対向する内面に、その中芯側から外周側へ向けて徐々に中芯中央側へ突出する逆テーパー部を夫々設け、長尺物の巻き取りに伴い該円盤状鍔部の内面に沿って積み重なった長尺物積重ね部を中芯側へ移動させることを特徴とするものである。
請求項２記載の発明は、請求項１記載の発明の構成に、前記円盤状鍔部の内面の一部に逆テーパー部を一体形成した構成を加えたことを特徴とする。
請求項３記載の発明は、請求項１または２記載の長尺物巻取機用ボビンをフレームに対して回転自在に備えた長尺物巻取機において、前記フレームに、円盤状鍔部と対向してその逆テーパー部の中芯中央側へ最も突出する端部を覆う長尺物誘導部を設けて、巻取り中の長尺物が円盤状鍔部の外周面に当接しないような配置としたことを特徴とするものである。
【発明の効果】
【０００７】
本発明のうち請求項１記載の発明は、円盤状鍔部の対向する内面に、その中芯側から外周側へ向けて徐々に中芯中央側へ突出する逆テーパー部を夫々設け、長尺物を巻き取りことにより、その一部が円盤状鍔部の内面に沿って積み重なった時には、この長尺物積重ね部が上記逆テーパー部の鋭角な傾斜角度と張力で自動的に中芯側へ移動して崩れ、長尺物が円盤状鍔部の内面近くに偏らない。
従って、ボビンに対する長尺物巻き取り方向に関係なく簡単な構造でありながら円盤状鍔部沿いに偏って巻かれた長尺物を中芯中央側に集めることができる。
その結果、ボビンとフレーム以外にトラバース機構を長尺物移動経路上に配備する必要がある従来のものに比べ、トラバース機構を長尺物移動経路上に配備する必要がないから、長尺物巻き取り及び引き出しに伴う故障の発生を防止できると共に製造コストの大幅な低減化を図ることができる。
更に、長尺物引き出し時において、邪魔となる長尺物移動経路上のトラバース機構がないから、長尺物が引き出し易く、しかも長尺物が何も接触しないため、長尺物の引き出し抵抗が低くスムーズに引き出せて、操作性に優れると共に使用勝手が良い。
【０００８】
請求項２の発明は、請求項１の発明の効果に加えて、円盤状鍔部の内面の一部に逆テーパー部を一体形成することにより、成形型からのボビンの型抜きが容易である。
従って、ボビン全体を簡単に型成形して組み立てを容易にすることができる。
その結果、製造が容易でコストの低減化が図れる。
【０００９】
請求項３の発明は、請求項１または２の発明の効果に加えて、フレームに、円盤状鍔部と対向してその逆テーパー部の中芯中央側へ最も突出する端部を覆う長尺物誘導部を設けることによって、巻き取った長尺物が全て円盤状鍔部の内面より中芯中央側へ誘導され、円盤状鍔部の外周面に当接することがない。
従って、両円盤状鍔部の間に長尺物を確実に誘導して該長尺物がボビンとフレームとの隙間に噛み込んで回転不能となる事故を防止することができる。
【発明を実施するための最良の形態】
【００１０】
本発明の長尺物巻取機用ボビンＡは、図１〜図３に示す如く、例えば硬質の合成樹脂などで外形状が略円柱状に形成された中芯１と、その軸方向両側から径方向へ一体的に突設された一対の円盤状鍔部２とからなり、この長尺物巻取機用ボビンＡをフレーム４に対し回転自在に支持することで本発明の長尺物巻取機Ｂが構成され、そのハンドル５を手動で回転操作するか、又は例えば水や空気などの圧送流体（図示せず）やモーターなどの駆動源（図示せず）を利用して該ボビンＡを回転させることにより、ホースや線材などの可撓性がある長尺物Ｃを、特定方向から引き戻しながら上記中芯１の外周面１ａに沿って巻き付けている。
【００１１】
上記円盤状鍔部２の対向する内面（表面）２ａには、その中芯１側から外周側へ向かうに従って徐々に中芯１の軸方向中央側へ突出する逆テーパー部３を夫々設け、長尺物巻取機用ボビンＡの回転により中芯１の外周面１ａに長尺物Ｃを巻き取ることで、その一部が円盤状鍔部２の内面２ａに沿って径方向へ積み重なった時には、この長尺物積重ね部Ｃ１を該逆テーパー部３の鋭角な傾斜と張力などにより中芯１側へ移動させて崩すようにしている。
【００１２】
この逆テーパー部３は、中芯１の外周面１ａに対して、その中芯側端部３ａから外周側端部３ｂへ鋭角状に形成され、巻き取った長尺物Ｃと接触する長尺物当接面を、直線状に傾斜させるか、又は円弧状に凹ませるか或いは突出させて構成される。
その具体例としては、各円盤状鍔部２の内面２ａの一部に単数又は複数夫々部分的に配置するか、又は該鍔部内面２ａの全体に配置する。
【００１３】
更に、上記逆テーパー部３には、この長尺物当接面３ｃを単数又は複数のリブで構成したり、貫通孔や凹部を形成して、ボビンＡ全体の軽量化や構成材料の削減化することも可能である。
この逆テーパー部３を含む円盤状鍔部２の外周面２ｂには、それに連設された環状フランジなどで覆うことにより、長尺物Ｃなどの侵入を防止することが好ましい。
【００１４】
また、例えば射出成形などにより合成樹脂でボビンＡ全体を一体成形する場合には、逆テーパー部３を含むボビンＡ全体の肉厚寸法を均一にして所謂「引け」と呼ばれる外観不良を防止することが好ましい。
必要に応じて、逆テーパー部３を含む円盤状鍔部２の外面（裏面）に補強リブ２ｃを形成してボビンＡ全体の強度を高めることも可能である。
【００１５】
そして、前記長尺物巻取機Ｂのフレーム４には、上記両円盤状鍔部２と対向する長尺物引き込み側に、これら逆テーパー部３の中芯１の軸方向中央側へ最も突出する外周側端部３ｂを覆う一対の長尺物誘導部４ａが設けられて、前記長尺物巻取機用ボビンＡの中芯１に長尺物Ｃを巻き取る際に、それが全て円盤状鍔部２の内面２ａより中芯１の軸方向中央側へ誘導されて、円盤状鍔部２の外周面２ｂに当接しないような配置にしている。
以下、本発明の一実施例を図面に基づいて説明する。
【実施例１】
【００１６】
この実施例１は、図１及び図２に示す如く、長尺物巻取機用ボビンＡが長尺物Ｃとして、引き出されたホースを不特定方向から巻き取るホース巻取機用ボビンであり、この両円盤状鍔部２の内面２ａに対して、その周方向へ適宜間隔毎に複数の逆テーパー部３を夫々部分的に一体形成すると共に、フレーム４に対してハンドル５が回転自在に取り付けられ、このフレーム４の長尺物誘導部４ａとして、長尺物巻取り方向と直交する左右方向へ並列状に立設された一対の支持体４ｂ間の幅寸法を、逆テーパー部３の中芯１中央側へ最も突出する外周側端部３ｂの幅寸法と略同じか、又はそれより若干狭くすることで、これら外周側端部３ｂが夫々覆われるようにした場合を示すものである。
【００１７】
図示例では、上記逆テーパー部３が、中芯１を中心とした内面２ａの反対側に、扇形面からなる長尺物当接面３ｃを２つ夫々部分的に一体形成し、これら逆テーパー部３を含む円盤状鍔部２の外周面２ｂ全体を環状フランジで覆って、長尺物ＣがボビンＡとフレーム４との隙間に入り込むのを防止している。
更に、逆テーパー部３を除く円盤状鍔部２の外面のみに補強リブ２ｃを形成しているが、逆テーパー部３の外面に補強リブ２ｃを形成することも可能である。
【００１８】
また、図示例では、特開２００３−１６０２７９号公報に開示される如く、前記中芯１に円盤状鍔部２の中心を囲むように凹溝１ｂが凹設され、この凹溝１ｂ内で長尺物Ｃの一端部が継手（図示せず）を介して接続することにより、この継手が中芯１の外周から突出しないため、長尺物Ｃの接続部分が突出することなく平らな中芯１の外周面１ａに沿って巻き付けられるようにしているが、凹溝１ｂを設けなくても良い。
【００１９】
次に、斯かる長尺物巻取機用ボビンＡ及び長尺物巻取機Ｂの作用効果について説明する。
先ず、ハンドル５を回転操作して長尺物Ｃを巻き付けるだけで、長尺物Ｃにはある程度の張力が作用し、中芯１の外周面１ａに沿って長尺物Ｃを螺旋状に巻き付けて整列巻きするには、略一定な張力をかけ続ける必要がある。
このような略一定な張力が作用している状態で、ボビンＡに対する長尺物巻き取り方向が中芯１に対して垂直であれば、螺旋状に整列巻きされる可能性はあるが、長尺物巻き取り方向が僅かでも傾いた場合には、長尺物Ｃが左右どちらか一方の円盤状鍔部２に偏って、その内面２ａに沿って一列状に積み重なるように巻かれる可能性が高い。
即ち、通常の使用状況では、ボビンＡに対する長尺物巻き取り方向が中芯１に対して垂直でないために、長尺物Ｃが円盤状鍔部２の内面２ａ沿いに偏って積み重なるように巻かれる。
【００２０】
このように長尺物Ｃが円盤状鍔部２の内面２ａ沿いに積み重なっても、図１（ｂ）に示す如く、この長尺物積重ね部Ｃ１が該円盤状鍔部２の内面２ａの逆テーパー部３に当接すると、その長尺物当接面３ｃの鋭角な傾斜角度と張力で自動的に中芯１側へ移動して崩れ、該円盤状鍔部２の内面２ａ近くに長尺物Ｃが偏らない。
それにより、ボビンＡに対する長尺物巻き取り方向が中芯１に対して垂直でない場合であっても、簡単な構造でありながら円盤状鍔部２沿いに偏って巻かれた長尺物Ｃを中芯１中央側に集めることができ、その結果として整列巻きが可能となる。
【００２１】
更に、長尺物巻取機用ボビンＡを型成形する場合、円盤状鍔部２の内面２ａの一部に逆テーパー部３を一体形成すると、成形型からのボビンＡの型抜きが容易であるため、ボビンＡ全体を簡単に型成形できると共に組み立てが容易であるという利点がある。
【００２２】
そして、長尺物巻取機Ｂのフレーム４に、円盤状鍔部２と対向して逆テーパー部３の中芯１の軸方向中央側へ最も突出する外周側端部３ｂを覆う長尺物誘導部４ａが設けられるため、長尺物Ｃを巻き取る際に、それが全て円盤状鍔部２の内面２ａより中芯１の軸方向中央側へ誘導されて、円盤状鍔部２の外周面２ｂに当接しない。
それにより、両円盤状鍔部２の間に長尺物Ｃを確実に誘導して該長尺物ＣがボビンＡとフレーム４との隙間に噛み込んで回転不能となる事故の発生を完全に防止できるという利点がある。
【００２３】
また、前記円盤状鍔部２の内面２ａに形成した逆テーパー部３は、図１及び図２に示した構造に限定されず、それ以外の変形例を図３（ａ）〜（ｆ）に示す。
【００２４】
図３（ａ）に示すものは、逆テーパー部３として、扇形面からなる長尺物当接面３ｃを１つだけ部分的に一体形成した場合を示している。
【００２５】
図３（ｂ）に示すものは、逆テーパー部３として、環状面からなる長尺物当接面３ｄを、円盤状鍔部２の内面２ａ全体に亙って一体的に形成した場合を示している。
【００２６】
図３（ｃ）に示すものは、逆テーパー部３として、複数のリブを適宜間隔毎に並設した扇形面か又は環状面からなる長尺物当接面３ｅを一体的に形成した場合を示している。
図示例ではリブの向きを放射状に配置しているが、それ以外の向きに配置することも可能である。
【００２７】
図３（ｄ）に示すものは、逆テーパー部３として、多数の貫通孔を開穿した扇形面か又は環状面からなる長尺物当接面３ｆを一体形成した場合を示している。
図示例では貫通孔として長孔を開穿しているが、例えば円孔などの他の形状にすることが可能であり、また該貫通孔に代えて凹部を凹設することも可能である。
【００２８】
図３（ｅ）に示すものは、逆テーパー部３として、単数のリブからなる長尺物当接面３ｇを、円盤状鍔部２の周方向へ必要な個数だけ一体成形した場合を示している。
図示例ではリブの向きを放射状に配置し、その長尺物当接面３ｇを直線状に傾斜させているか、円弧状に凹ませるか又は突出させることも可能である。
【００２９】
図３（ｆ）に示すものは、逆テーパー部３として、円盤状鍔部２に切り込みを入れると共にその端部を内面２ａ側へ折り返すことで形成された長尺物当接面３ｈを、円盤状鍔部２の周方向へ必要な個数だけ一体成形した場合を示している。
図示例では折り返しの向きを放射状に配置し、その長尺物当接面３ｈを直線状に傾斜させているか、円弧状に凹ませるか或いは突出させることも可能である。
【００３０】
従って、図３（ａ）〜（ｆ）に示す逆テーパー部３の変形例であっても、上述した図１及び図２に示した長尺物巻取機用ボビンＡと同様な作用効果が得られる。
【００３１】
尚、前示実施例では、長尺物巻取機用ボビンＡが長尺物Ｃとしてホースを巻き取る場合を示したが、これに限定されず、ホース以外の線材など、可撓性があって巻き付け可能な長尺物であれば、それ以外でも良い。
このようなホース以外の長尺物Ｃであっても上述した前示実施例と同様な作用効果が得られる。
【００３２】
更に、ハンドル５の回転操作によってボビンＡを回転させる場合を示したが、このような手動巻き取り方式に限定されず、例えば特開２００１−３２８７６９号公報などに開示されるような、水道水やエアーなどの圧送流体を利用したり、モーターなどの駆動源によってボビンＡを回転させるような自動巻取り式であっても良い。
このような自動巻取り式の場合には、巻き取る長尺物Ｃに常時略一定な張力が作用するため、長尺物Ｃの整列巻きに有効であり、特に長尺物Ｃの巻き取り状況を確認せずに一気に巻き上げる場合には更に有効である。
【００３３】
また、長尺物巻取機用ボビンＡ及び長尺物巻取機Ｂの全体形状と長尺物誘導部４ａの形状は、図示例に限定されず、上述したものと同様な機能があれば、他の形状・構造であっても良い。
【図面の簡単な説明】
【００３４】
【図１】本発明の長尺物巻取機用ボビンを備えた長尺物巻取機の一実施例を示す斜視図と平面図である。
【図２】本発明の長尺物巻取機の一実施例を示す斜視図である。
【図３】（ａ）〜（ｆ）は長尺物巻取機用ボビンの変形例を拡大して示す部分的な斜視図である。
【符号の説明】
【００３５】
Ａ  長尺物巻取機用ボビン          Ｂ  長尺物巻取機
Ｃ  長尺物（ホース）              Ｃ１  長尺物積重ね部
１  中芯                          １ａ  外周面
１ｂ  凹溝                        ２  円盤状鍔部
２ａ  内面（表面）                ２ｂ  外周面
２ｃ  補強リブ                    ３  逆テーパー部
３ａ  中芯側端部                  ３ｂ  外周側端部
３ｃ〜３ｈ  長尺物当接面          ４  フレーム
４ａ  長尺物誘導部                ４ｂ  支持体
５  ハンドル
【図１】
2006347660.tif 000003
【図２】
2006347660.tif 000004
【図３】
2006347660.tif 000005